(57)【要約】【課題】  通信回線の輻輳状態に影響されることなく、迅速に被災者の安否情報を収集でき、その安否情報を公開することが可能な安否情報提供システム及び方法並びに携帯電話端末を提供すること。【解決手段】  ＧＰＳ機能を保持する携帯電話端末が、緊急警報放送の受信を契機に、ＧＰＳ機能により検出した位置情報及び緊急警報放送の受信時刻情報並びに携帯電話番号とを非通話チャンネルで携帯電話事業者システムに送信し、当該携帯電話事業者システムの記憶手段に記憶させる手段を備え、安否情報登録装置が、携帯電話事業者システムの記憶手段に記憶された携帯電話端末の位置情報及び緊急警報放送の受信時刻情報並びに携帯電話番号とを前記携帯電話事業者システムから取得し、安否情報として記憶手段に記憶させ、登録された安否情報を他の携帯電話端末からの問い合わせに応じて提供する手段とを備える。【選択図】    図１
2010130043.tif 000002
【特許請求の範囲】
【請求項１】
緊急警報放送が受信可能であり、かつＧＰＳ機能を保持する携帯電話端末と、この携帯電話端末のＧＰＳ機能が検出した位置情報を当該携帯電話端末の携帯電話事業者システムから取得し、当該位置情報と緊急警報放送の受信時刻情報並びに携帯電話番号とを安否情報として記憶手段に記憶させる安否情報登録装置とから成る安否情報提供システムであって、
前記携帯電話端末が、
前記緊急警報放送の受信を契機に、前記ＧＰＳ機能により検出した位置情報及び緊急警報放送の受信時刻情報並びに携帯電話番号とを非通話チャンネルで前記携帯電話事業者システムに送信し、当該携帯電話事業者システムの記憶手段に記憶させる位置情報送信手段を備え、
前記安否情報登録装置が、
前記携帯電話事業者システムの記憶手段に記憶された携帯電話端末の位置情報及び緊急警報放送の受信時刻情報並びに携帯電話番号とを前記携帯電話事業者システムから取得し、安否情報として記憶手段に記憶させる安否情報登録手段と、登録された安否情報を他の携帯電話端末または情報端末からの問い合わせに応じて提供する安否情報提供手段とを備えることを特徴とする安否情報提供システム。
【請求項２】
緊急警報放送が受信可能であり、かつＧＰＳ機能を保持する携帯電話端末と、この携帯電話端末のＧＰＳ機能が検出した位置情報を当該携帯電話端末の携帯電話事業者システムから取得し、当該位置情報と緊急警報放送の受信時刻情報並びに携帯電話番号とを安否情報として記憶手段に記憶させる安否情報登録装置とから成る安否情報提供システムにおける安否情報提供方法であって、
前記携帯電話端末が、
前記緊急警報放送の受信を契機に、前記ＧＰＳ機能により検出した位置情報及び緊急警報放送の受信時刻情報並びに携帯電話番号とを非通話チャンネルで前記携帯電話事業者システムに送信し、当該携帯電話事業者システムの記憶手段に記憶させるステップを備え、
前記安否情報登録装置が、
前記携帯電話事業者システムの記憶手段に記憶された携帯電話端末の位置情報及び緊急警報放送の受信時刻情報並びに携帯電話番号とを前記携帯電話事業者システムから取得し、安否情報として記憶手段に記憶させるステップと、登録された安否情報を他の携帯電話端末または情報端末からの問い合わせに応じて提供するステップとを備えることを特徴とする安否情報提供方法。
【請求項３】
緊急警報放送が受信可能であり、かつＧＰＳ機能を保持する携帯電話端末であって、
前記緊急警報放送の受信を契機に、前記ＧＰＳ機能により検出した位置情報及び緊急警報放送の受信時刻情報並びに携帯電話番号とを非通話チャンネルで前記携帯電話事業者システムに送信し、当該携帯電話事業者システムの記憶手段に記憶させる手段を備えることを特徴とする携帯電話端末。
【発明の詳細な説明】
【技術分野】
【０００１】
本発明は、携帯電話端末のＧＰＳ機能と緊急警報放送受信機能を用い、災害時の緊急警報情報の放送を契機に対象地域に所在する人々の安否情報を提供する安否情報提供システム及び方法並びに携帯電話端末に関するものである。
【背景技術】
【０００２】
近年、携帯電話端末には様々な機能が取り付けられている。その中の一つに、緊急警報放送受信機能、ＧＰＳ機能が挙げられる。緊急警報放送とは、『該当する地域の住民の生命・財産の保護のため、放送局が緊急警報信号と呼ばれる特別な信号を前置したうえで臨時に行う放送』であり、１９８５年9月よりアナログ放送で運用が開始されたが、現状さほど普及していない。また、最近ではデジタル放送での実用化の検討が始められている。
緊急警報放送は、地震などの災害発生時に、素早く察知することが可能であるため、災害時には早期に被災する可能性のある人に伝えることができ、精度を向上させることにより、さらに多くの需要が見込まれる。
【０００３】
大規模な災害が発生すると、その直後から、救助・消防活動等や、被災者への安否確認などを行うための通話が大量に発生するため、被災地域周辺では通話回線が混雑し輻輳状態に陥ってしまうことがある。このような輻輳は、固定電話、携帯電話、ＰＨＳ（Personal Handy-phone System）などのいずれの回線においても起こりうることである。
このような状況では、被災者が自己の安否情報等を家族などに通知しようとしても、通話回線の輻輳のために通知することができないといった事態が起こる。
災害発生時の通信回線の輻輳を回避しようと、衛星通信回線などを導入して回線を多重化したり、回線集約装置を増強したりするなどの試みがなされてはいるものの、システムにかかるコストが増大するため実現が難しく、災害発生後数時間〜数日間、通信回線がしばしば輻輳状態に陥るのが現状である。
したがって、現実には、現存する多くの安否情報提供システムでは、災害発生から一定期間が経過し通信回線の輻輳状態が解消した時点で、例えば災害発生から３日後以降に、被災者の安否情報の収集を行うことができる状態であればよいというような、割り切った運営がなされている場合が多い。
この種の安否情報提供システムとして下記の特許文献１に開示されたものがある。
【０００４】
【特許文献１】特開２００５−２５８６３８号
【発明の開示】
【発明が解決しようとする課題】
【０００５】
しかしながら、被災者の家族らは、被災者の安否状況について、たとえ僅かな情報であってもできるだけ早く知りたいと考えるものであり、また、被災者本人も、自分が安全であることや負傷してしまったことなどを、いち早く家族など通知したいと考えるものである。さらには、災害現場で復旧作業を行う者が、行方不明者を発見したり、負傷者を発見したりした場合にも、安否を迅速に通報する必要が生じる。
このような要請がある中で、災害発生後に数時間〜数日間もの間、被災者の安否情報の通知や照会が全く行えないのは、安否確認システムの存在意義そのものが問われるような問題点である。
【０００６】
本発明は、このような実情に鑑み、災害発生直後に、通信回線の輻輳状態に影響されることなく、迅速に被災者の安否情報を収集でき、その安否情報を公開することが可能な安否情報提供システム及び方法並びに携帯電話端末を提供することを目的とするものである。
【課題を解決するための手段】
【０００７】
上記課題を解決するために、本発明に係る安否情報提供システムは、緊急警報放送が受信可能であり、かつＧＰＳ機能を保持する携帯電話端末と、この携帯電話端末のＧＰＳ機能が検出した位置情報を当該携帯電話端末の携帯電話事業者システムから取得し、当該位置情報と緊急警報放送の受信時刻情報並びに携帯電話番号とを安否情報として記憶手段に記憶させる安否情報登録装置とから成る安否情報提供システムであって、
前記携帯電話端末が、
前記緊急警報放送の受信を契機に、前記ＧＰＳ機能により検出した位置情報及び緊急警報放送の受信時刻情報並びに携帯電話番号とを非通話チャンネルで前記携帯電話事業者システムに送信し、当該携帯電話事業者システムの記憶手段に記憶させる位置情報送信手段を備え、
前記安否情報登録装置が、
前記携帯電話事業者システムの記憶手段に記憶された携帯電話端末の位置情報及び緊急警報放送の受信時刻情報並びに携帯電話番号とを前記携帯電話事業者システムから取得し、安否情報として記憶手段に記憶させる安否情報登録手段と、登録された安否情報を他の携帯電話端末または情報端末からの問い合わせに応じて提供する安否情報提供手段とを備えることを特徴とする。
【０００８】
また、本発明に係る安否情報提供方法は、緊急警報放送が受信可能であり、かつＧＰＳ機能を保持する携帯電話端末と、この携帯電話端末のＧＰＳ機能が検出した位置情報を当該携帯電話端末の携帯電話事業者システムから取得し、当該位置情報と緊急警報放送の受信時刻情報並びに携帯電話番号とを安否情報として記憶手段に記憶させる安否情報登録装置とから成る安否情報提供システムにおける安否情報提供方法であって、
前記携帯電話端末が、
前記緊急警報放送の受信を契機に、前記ＧＰＳ機能により検出した位置情報及び緊急警報放送の受信時刻情報並びに携帯電話番号とを非通話チャンネルで前記携帯電話事業者システムに送信し、当該携帯電話事業者システムの記憶手段に記憶させるステップを備え、
前記安否情報登録装置が、
前記携帯電話事業者システムの記憶手段に記憶された携帯電話端末の位置情報及び緊急警報放送の受信時刻情報並びに携帯電話番号とを前記携帯電話事業者システムから取得し、安否情報として記憶手段に記憶させるステップと、登録された安否情報を他の携帯電話端末または情報端末からの問い合わせに応じて提供するステップとを備えることを特徴とする。
【０００９】
さらに、本発明に係る安否情報提供システムにおける携帯電話端末は、緊急警報放送が受信可能であり、かつＧＰＳ機能を保持する携帯電話端末であって、
前記緊急警報放送の受信を契機に、前記ＧＰＳ機能により検出した位置情報及び緊急警報放送の受信時刻情報並びに携帯電話番号とを非通話チャンネルで前記携帯電話事業者システムに送信し、当該携帯電話事業者システムの記憶手段に記憶させる手段を備えることを特徴とする。
【発明の効果】
【００１０】
本発明によれば、携帯電話端末の基地局への位置登録処理と同様に、非通話チャンネルを用いて、緊急警報放送の受信を契機に、ＧＰＳ機能により検出した位置情報及び緊急警報放送の受信時刻情報並びに携帯電話番号とを携帯電話事業者システムに送信し、当該携帯電話事業者システムの記憶手段に記憶させ、この記憶された情報を安否情報として安否情報提供システムが取得し、他の携帯電話端末や情報端末からの問い合わせに応じて提供するため、通話チャンネルの輻輳状態が生じている時でも被災地域に所在する人の安否を確認することができる。
また、緊急警報情報を放送した事業者あるいは機関では、安否情報の中の緊急警報放送の受信時刻とＧＰＳ位置情報の受信数、ＧＰＳ位置情報の発信位置によって緊急警報放送の有用性、緊急警報放送が正常に受信できた地域などの検証に使用することも可能となる。
【発明を実施するための最良の形態】
【００１１】
以下、本発明を図面を用いて詳細に説明する。
図１は、本発明に係る安否情報提供システムの実施の形態を示すシステム構成図である。
この実施の形態の安否情報収集システムは、携帯電話端末１０１と、携帯電話事業者システム１０２と、安否情報登録サーバ１０３と、安否情報提供サーバ１０４と、緊急警報放送事業者が使用する情報端末１０５と、被災者の安否確認を行う家族等が使用する携帯電話端末１０７やＰＣ端末１０６とから成る。
携帯電話端末１０１は、ＧＰＳ機能、ワンセグを含む緊急警報放送受信機能を標準的に有している携帯電話端末である。
なお、安否情報登録サーバ１０３と安否情報提供サーバ１０４は一体化して構成することができる。
【００１２】
図２は、携帯電話端末１０１が緊急警報放送を受信したときの動作を示すフローチャートである。
まず、被災地域に所在するユーザの携帯電話端末１０１が緊急警報放送を受信すると（Ｓ２０１）、携帯電話端末１０１は当該携帯電話端末１０１が所在する位置エリアの基地局（図示を省略）を介して携帯電話事業者システム１０２に対して、緊急警報放送受信時刻、ＧＰＳ機能が検出した位置情報、携帯電話番号（または端末電話情報を識別可能な情報）を非通話チャンネル（通常の位置登録処理と同じ通信チャンネル。制御チャンネルとも言う）を用いて送信する（Ｓ２０２）。
携帯電話事業者システム１０２は、受信した緊急警報放送受信時刻、ＧＰＳ機能が検出した位置情報、携帯電話番号の情報を内部の記憶装置１０２１に記憶する。
【００１３】
安否情報登録サーバ１０３は、緊急警報が放送された直後から定期的に携帯電話事業者システム１０２に記憶装置１０２１の記憶情報の提供を要求し、その要求に従って携帯電話事業者システム１０２から携帯電話端末１０１における緊急警報放送受信時刻、ＧＰＳ機能が検出した位置情報、携帯電話番号の情報を受信し（Ｓ２１１）、記憶装置１０３１に記憶させる（ステップＳ２１２）。
記憶させたならば送信側の携帯電話端末１０１に対して正しく受信したことを示す安否情報登録確認応答を携帯電話事業者システム１０２を介して送信する（Ｓ２１３）。
この場合、安否情報登録確認応答は携帯電話事業者システム１０２が送信するように構成してもよい。
【００１４】
これに対して携帯電話端末１０１は、安否情報登録確認応答を受信したならば、現在時刻が緊急警報放送の受信時刻から例えば５分経過しているかを判定し（Ｓ２０４）、経過していたならば、再度、ＧＰＳ機能が検出している現在の位置情報、現在時刻、携帯電話端末番号を携帯電話事業者システム１０２に対して送信する（Ｓ２０７）。
携帯電話端末１０１は、安否情報登録確認応答を受信しなかった場合には、再度、携帯電話事業者システム１０２に対して、緊急警報放送受信時刻、ＧＰＳ機能が検出した位置情報、携帯電話番号（または端末電話情報を識別可能な情報）を非通話チャンネル（通常の位置登録処理と同じ通信チャンネル）を用いて送信する（Ｓ２０２）。
【００１５】
携帯電話端末１０１は、安否情報登録確認応答を受信したが、緊急警報放送の受信時刻から例えば５分経過していなかった場合には、タイマ値が５分のタイマを起動し、タイムアウトまで待ち（Ｓ２０５）、タイムアウトしたならば、現在時刻が緊急警報放送の受信時刻から例えば５分経過しているかを判定し（Ｓ２０４）、その判定結果の応じて、位置情報の再送を行う。
以上の動作により、安否情報登録サーバ１０３の記憶装置１０３１には、緊急警報放送を受信した携帯電話端末１０１のＧＰＳ機能で順次検出した位置情報が時系列で記憶される。
【００１６】
一方、安否情報提供サーバ１０４は、被災者の家族などのＰＣ端末１０６や携帯電話端末１０７からの問い合わせアクセスに対し（Ｓ２２１）、問い合わせの携帯電話番号を含む安否情報が安否情報登録サーバ１０３の記憶装置１０３１に登録されているかどうかを確認するための問い合わせを行う（Ｓ２２２）。
これに対して、登録サーバ１０３から応答を待ち、該当する安否情報が登録されていた場合には、問い合わせもとの家族の携帯電話端末１０７などに対し、登録されている時系列の安否情報を全て送信する（Ｓ２２３）。
時系列の安否情報を受信した家族等は、ＧＰＳ機能が検出した位置情報の変化
【００１７】
安否情報提供サーバ１０４は、緊急警報放送事業者の情報端末１０５から緊急放送受信位置と受信時刻の情報提供を要求された場合（Ｓ２２４）、登録サーバ１０３の記憶装置１０３１に登録されている該当情報を全て取得し（Ｓ２２５）、要求元の情報端末１０５に提供する（Ｓ２２６）。
緊急警報放送事業者の情報端末１０５では、例えば受信時刻順に、受信位置と受信者数を表示する。これにより、緊急警報放送事業者は緊急警報放送を受信することが困難な地域や容易な地域などの調査を行うことができ、緊急警報放送の有用度を向上させるための対策を講じることが可能となる。
【図面の簡単な説明】
【００１８】
【図１】本発明の一実施の形態を示すシステム構成図である。
【図２】本発明の一実施の形態における安否情報登録、安否情報確認のやりとりを行う手順を示したフローチャートである。
【符号の説明】
【００１９】
１０１    携帯電話端末
１０２    携帯電話事業者システム
１０３    安否情報登録サーバ
１０４    安否情報提供サーバ
【図１】
2010130043.tif 000003
【図２】
2010130043.tif 000004